(57)【要約】【課題】無駄な空間を縮小して装置全体の小型化に貢献することができる画像読取装置および同装置と組み合わせられる記録装置を提供する。【解決手段】画像読取装置は、原稿Ｐが載置される載置領域と、搬送装置２０による原稿Ｐの搬送位置に対応する搬送領域とを有する透明板１１と、原稿Ｐの画像を透明板１１を透かして読み取るＣＩＳ１３とを備えている。搬送装置２０は、透明板１１の搬送領域から見て載置領域とは反対側となる位置に、原稿Ｐの表裏を反転させて搬送する反転経路２３Ａを有する。ＣＩＳ１３は、透明板１１の他面側において、透明板１１の載置領域と対応する第１読取領域ＲＣと、透明板１１の搬送領域と対応する第２読取領域ＲＤと、搬送装置２０の反転経路２３Ａの下方に設定された待機位置Ａとの間を移動する。【選択図】図５
2014007591.tif 000002
【特許請求の範囲】
【請求項１】
一面側に原稿を載置可能な載置領域を有する透明板と、
前記原稿の画像を前記透明板の他面側から前記透明板を透かして読み取る読取部と、
前記透明板の一面側を覆うように前記透明板上に重ねられる閉位置と前記透明板の一面側を開放する開位置との間を変位可能であって且つ前記閉位置にあるときに前記原稿を前記透明板における前記載置領域から外れた一部領域上を経由させて搬送する原稿搬送装置とを備える画像読取装置において、
前記原稿搬送装置は、前記透明板の前記一部領域から見て前記載置領域とは反対側となる位置に、前記原稿が表裏を反転させて搬送される反転経路を有し、
前記読取部は、前記透明板の他面側において、前記透明板の前記載置領域と対応する第１読取領域と、前記透明板の前記一部領域と対応する第２読取領域と、前記原稿搬送装置の前記反転経路の下方に設定された待機位置との間を移動する
画像読取装置。
【請求項２】
前記第１読取領域および前記第２読取領域は連続する空間である
請求項１に記載の画像読取装置。
【請求項３】
前記第１読取領域および前記第２読取領域は１つの前記透明板の他面側に形成されている
請求項１または２に記載の画像読取装置。
【請求項４】
前記一部領域は、前記原稿搬送装置で搬送される前記原稿の搬送方向と交差する方向の幅が、前記載置領域の前記原稿の搬送方向と交差する方向の幅よりも広く設定されている  請求項１〜３のいずれか一項に記載の画像読取装置。
【請求項５】
前記画像読取装置の前記透明板の縁部分に対して固定され、少なくとも前記一部領域とは反対側の端部に隣り合う二辺が直角をなす角部を有する固定部材をさらに有し、前記原稿は前記固定部材の前記角部を挟んで隣り合う二辺に接触するように配置される
請求項１〜４のいずれか一項に記載の画像読取装置。
【請求項６】
媒体に対して記録を行う記録部と、請求項１〜５のいずれか一項の前記画像読取装置とを備える記録装置。
【発明の詳細な説明】
【技術分野】
【０００１】
本発明は、原稿から画像を読み取る読取部が移動自在とされた画像読取装置およびこの画像読取装置と組み合わせられる記録装置に関する。
【背景技術】
【０００２】
従来、この種の画像読取装置と組み合わせられる記録装置として、例えば特許文献１に記載の複合機が知られている。この複合機における画像読取装置は、一面側に原稿を載置可能な透明板を有するとともに、その透明板の他面側を透明板と平行な方向に移動しながら原稿から画像を読み取る読取部を有している。そして、この画像読取装置に対しては、その透明板の一面側全体を覆うように原稿搬送装置が重ねられている。
【０００３】
原稿搬送装置は、透明板上を覆うように画像読取装置に重ねられる閉位置と透明板上を開放する開位置との間を回動変位可能であって、閉位置にあるとき給紙部から原稿を透明板の一部領域上を経由させて排紙部に搬送する。なお、この場合における透明板の一部領域は、原稿搬送装置により搬送される原稿の画像を、その搬送途中で読取部側に露出させる露出領域となる。また、原稿搬送装置が開位置にあるとき、その透明板上には使用者によって原稿が載置あるいは除去される。
【０００４】
そして、読取部は、透明板上に載置された原稿を読み取るときには、透明板上に載置された原稿から画像を移動しながら透明板を透かして読み取る。なお、このとき、読取部は、透明板における原稿の載置領域と対応した第１読取領域を移動しながら原稿から画像を読み取る。また、読取部は、原稿搬送装置が閉位置にあり、搬送される原稿を読み取るときには、透明板の一部領域である露出領域と対応した第２読取領域に停止した状態で原稿搬送装置により搬送される途中で露出領域上を通過する原稿から画像を読み取る。
【０００５】
すなわち、読取部は、透明板の他面側において第１読取領域と第２読取領域との何れかに移動することにより、透明板の一面側にある原稿から画像を読み取る。また、読取部は、原稿からの画像の読取動作を停止しているとき、所定の待機位置において所定の待機動作をする。この場合の待機位置は、第１読取領域と第２読取領域との間の領域（待機位置設定領域）に存在する。
【０００６】
なお、原稿搬送装置において給紙部から原稿を透明板の一部領域である露出領域上を通過させて排紙部に搬送する搬送路は、給紙部から排紙部に原稿を搬送する過程において原稿の表裏を反転させる。このため、搬送路は、その経路途中に側面視で断面Ｕ字形状の反転経路を有する。
【先行技術文献】
【特許文献】
【０００７】
【特許文献１】特開２０１０−４１４８１号公報
【発明の概要】
【発明が解決しようとする課題】
【０００８】
ところで、透明板の一面側において、反転経路の位置は、透明板における露出領域、原稿の載置領域、および読取部の待機位置設定領域の何れの上方の位置とも異なる。すなわち、読取部は、画像読取装置における反転経路の下方領域に移動することはない。したがって、画像読取装置においては反転経路の下方領域が無駄な空間となっていた。
【０００９】
なお、こうした実情は、上記の複合機に限らず、原稿から画像を読み取る読取部が移動自在とされた画像読取装置およびこの画像読取装置と組み合わせられる記録装置においては、共通したものとなっていた。
【００１０】
本発明は、上記課題を解決するため、無駄な空間を縮小して装置全体の小型化に貢献することができる画像読取装置および同装置と組み合わせられる記録装置を提供することを目的とする。
【課題を解決するための手段】
【００１１】
上記目的を達成するために、本発明の画像読取装置は、一面側に原稿を載置可能な載置領域を有する透明板と、前記原稿の画像を前記透明板の他面側から前記透明板を透かして読み取る読取部と、前記透明板の一面側を覆うように前記透明板上に重ねられる閉位置と前記透明板の一面側を開放する開位置との間を変位可能であって且つ前記閉位置にあるときに前記原稿を前記透明板における前記載置領域から外れた一部領域上を経由させて搬送する原稿搬送装置とを備え、前記原稿搬送装置は、前記透明板の前記一部領域から見て前記載置領域とは反対側となる位置に、前記原稿が表裏を反転させて搬送される反転経路を有し、前記読取部は、前記透明板の他面側において、前記透明板の前記載置領域と対応する第１読取領域と、前記透明板の前記一部領域と対応する第２読取領域と、前記原稿搬送装置の前記反転経路の下方に設定された待機位置との間を移動する。
【００１２】
上記発明によれば、透明板の他面側において、従来は無駄な空間となっていた原稿搬送装置における反転経路の下方となる領域を読取部が待機動作を実行する待機位置として利用することができる。このため、無駄な空間を縮小して装置全体の小型化に貢献することができる。
【００１３】
また、本発明の画像読取装置において、前記第１読取領域および前記第２読取領域は連続する空間である。
上記発明によれば、第１読取領域および第２読取領域の間に生じる無駄な空間を縮小することによって、さらに装置全体の小型化に貢献することができる。
【００１４】
また、本発明の画像読取装置において、前記第１読取領域および前記第２読取領域は１つの前記透明板の他面側に形成されている。
上記発明によれば、第１読取領域において読取部が原稿を読み取るための透明板と、第２読取領域において読取部が原稿を読み取るための透明板とを原稿読取装置に取り付ける構造を簡素化することができる。
【００１５】
また、本発明の画像読取装置において、前記一部領域は、前記原稿搬送装置で搬送される前記原稿の搬送方向と交差する方向の幅が、前記載置領域の前記原稿の搬送方向と交差する方向の幅よりも広く設定されている。
【００１６】
上記発明によれば、一部領域では載置領域よりも広い範囲を読み取ることが可能になり、例えば原稿搬送装置によって搬送される原稿が斜めに搬送された場合であっても、原稿の幅方向の端部まで確実に読み取ることができる。
【００１７】
また、本発明の画像読取装置は、前記画像読取装置の前記透明板の縁部分に対して固定され、少なくとも前記一部領域とは反対側の端部に隣り合う二辺が直角をなす角部を有する固定部材をさらに有し、前記原稿は前記固定部材の前記角部を挟んで隣り合う二辺に接触するように配置される。
【００１８】
上記発明によれば、透明板における原稿の載置領域の端部を読取開始位置に一致させる部材および画像読取装置に透明板を固定する部材を共通化することができるので、部材点数の削減を通じて更に装置全体の小型化に貢献することができる。
【００１９】
さらに、本発明の記録装置は、媒体に対して記録を行う記録部と、上記構成の画像読取装置とを備える。
この発明によれば、記録装置において上記構成の画像読取装置の場合と同様の効果を享受することができる。
【図面の簡単な説明】
【００２０】
【図１】本発明の実施形態における複合機の斜視図。
【図２】実施形態の複合機の原稿搬送装置を開放状態にしたときの斜視図。
【図３】実施形態の複合機の原稿読取装置の平面図。
【図４】実施形態の複合機の原稿読取装置の内部を示す斜視図。
【図５】実施形態の画像読取装置について、コンタクトイメージセンサーモジュールの動作と共に、図１における５−５線を含む平面で切断した場合の断面構造を示す断面図。
【発明を実施するための形態】
【００２１】
以下、図面を参照して、本実施形態の複合機１の全体構造について説明する。なお、以下の説明において、「前後方向」、「左右方向」、及び「上下方向」を言う場合は、各図中に矢印で示す前後方向、左右方向、及び上下方向をそれぞれ示すものとする。
【００２２】
図１に示すように、複合機１は、媒体の一例としての印刷用紙にインクの噴射により印字及び印画をする記録ヘッドなどの記録部を有する画像形成装置（記録装置）２と、画像形成装置２上に配置され、原稿Ｐから画像を読み取る画像読取装置３とを備えている。また、画像読取装置３は、同装置の主要部として内部に画像読取のための各種機器を収容した原稿読取装置１０と、原稿読取装置１０上に配置され、原稿Ｐを原稿読取装置１０の所定位置に搬送する原稿搬送装置（以下、「搬送装置」ともいう。）２０とを備えている。なお、画像形成装置２は、画像読取装置３で読み取った画像の印刷処理（記録処理）が可能である。
【００２３】
搬送装置２０は、原稿読取装置１０によって画像が読み取られる前の原稿Ｐが載置される給紙トレイ２１と、原稿読取装置１０によって画像が読み取られた後の原稿Ｐが排出される排紙トレイ２２とを備えている。
【００２４】
図２に示すように、原稿読取装置１０と搬送装置２０とはそれぞれの左側縁部がヒンジ３０を介して回動自在に連結されている。そのため、搬送装置２０は、ユーザーによって右側縁部が持ち上げられることにより、図１に示す閉位置から図２に示す開位置に変位する。
【００２５】
原稿読取装置１０は、原稿Ｐが載置される透明板１１と、透明板１１を固定する枠部材１２とを備えている。透明板１１は、長方形に形成されており、四角環状の枠部材１２に対して下側から取り付けられている。透明板１１は、原稿Ｐが載置される載置領域ＲＡと、搬送装置２０による原稿Ｐの搬送位置に対応する搬送領域（一部領域）ＲＢとに区分される。なお、枠部材１２は、原稿読取装置１０の上側に設けられている。
【００２６】
搬送装置２０は、給紙トレイ２１から排紙トレイ２２に原稿Ｐを搬送する搬送路２３（図５参照）と、搬送路２３を通過する原稿Ｐを原稿読取装置１０側に露出させるための開口部２４と、開口部２４を覆う透明な被覆部材２５と、透明板１１に載置された原稿Ｐを押圧するマット２６とを備えている。
【００２７】
開口部２４は、搬送装置２０を閉位置に移動したときに、透明板１１上において、枠部材１２の後側の内縁から前方に向かって所定の長さを有し、且つ枠部材１２の左右の各内縁の間隔と略同じ幅を有する長方形に形成されている。搬送領域ＲＢは、搬送装置２０を閉位置に移動したときに、透明板１１上において開口部２４に対応する領域として透明板１１上に設定される。
【００２８】
マット２６は、搬送装置２０を閉位置に移動したときに、透明板１１上において、枠部材１２の前側の内縁から後方に向かって開口部２４と対応する領域まで所定の間隔を有する位置までの長さを有し、且つ枠部材１２の左右の各内縁の間隔と同じ幅を有する長方形に形成される。載置領域ＲＡは、枠部材１２の隣り合う二辺である前及び右の各内縁によって規定される位置に、複数種類の所定の寸法の原稿Ｐを載置可能な領域として透明板１１上に設定される。載置領域ＲＡは、搬送領域ＲＢと連続する領域として設定される。すなわち、透明板１１上において、載置領域ＲＡと搬送領域ＲＢとの間の領域は枠部材１２の一部である仕切り部が配置されない連続した空間となっている。
【００２９】
図３に示すように、搬送領域ＲＢは、その左右方向（ＣＩＳ１３の主走査方向）の幅が載置領域ＲＡの左右方向の幅よりも広く形成されている。すなわち、搬送領域ＲＢでは、載置領域ＲＡよりも広い範囲を読み取ることが可能とされている。その結果、例えば搬送装置２０によって搬送される原稿Ｐが斜めに搬送された場合であっても、その原稿Ｐにおける読み取り画像は幅方向の端部まで確実に読み取られる。なお、原稿Ｐの傾きによる読み取り画像の傾きは、周知の画像処理技術によって補正することができる。このように搬送領域ＲＢの左右方向の幅を載置領域ＲＡの左右方向の幅よりも広く形成する場合には、それに伴って、ＣＩＳ１３、搬送路２３の開口部２４及び透明な被覆部材２５の左右方向の幅も同様に広く設定する必要がある。
【００３０】
次に、図４を参照して、原稿読取装置１０の内部構成について説明する。なお、図４においては、透明板１１及び搬送装置２０の図示を省略している。
図４に示すように、原稿読取装置１０は、透明板１１越しに原稿Ｐから画像を読み取るコンタクトイメージセンサーモジュール１３（以下、「ＣＩＳ１３」ともいう。）、ＣＩＳ１３を移動させるとき駆動する駆動ベルト１４、ＣＩＳ１３の前後方向への移動を案内するレール１５を内部に備えている。また、原稿読取装置１０内においてＣＩＳ１３が移動する空間領域内には、ＣＩＳ１３を原稿読取装置１０内に配置された制御装置（処理部）１７に接続するフレキシブルフラットケーブル１６（以下、「ＦＦＣ１６」ともいう。）が配設されている。
【００３１】
ＣＩＳ１３は、透明板１１の左右方向の幅と略同じ長さを有している。レール１５は、原稿読取装置１０の底部に備えられており、前後方向に伸びている。駆動ベルト１４は、原稿読取装置１０の前後方向に沿って前方及び後方に設けられたプーリー（図示略）に巻き掛けられている。原稿読取装置１０の後方側のプーリーはモーター（図示略）に連結されている。駆動ベルト１４は、２つのプーリーの間の部分がＣＩＳ１３に固定されている。駆動ベルト１４は、モーターによって駆動されることにより、ＣＩＳ１３を前後方向に移動させる。
【００３２】
ＦＦＣ１６は、複数の導線が並列状をなして被覆されることにより、平坦な帯形状に形成されている。ＦＦＣ１６は、ＣＩＳ１３によって読み取られた原稿Ｐの画像を示すデータを伝送する信号線と、ＣＩＳ１３を接地する接地線とを複数の導線として含む。ＦＦＣ１６は、原稿Ｐの画像を示すデータを、このデータを処理する制御装置１７にＣＩＳ１３から伝送する。なお、ＦＦＣ１６における長さ方向の中途から他端側は、Ｕ字状に湾曲した部分を有することにより、変形自在に原稿読取装置１０に収容される。
【００３３】
なお、このときＦＦＣ１６の少なくともその変形自在な可動部については、図４に示すようにＦＦＣ１６の幅方向（短手方向）が透明板１１に対して略垂直方向になるように配置されている。ＦＦＣ１６を透明板１１に対して水平になるように配置した場合には、ＦＦＣ１６が特にＵ字状に湾曲した部分で透明板１１に当接して、透明板が汚れたりＦＦＣ１６が磨耗したりする虞があるが、垂直に配置すればそのような虞はなくなる。
【００３４】
また、本実施形態の複合機１では、搬送領域ＲＢの左右方向の幅を載置領域ＲＡの左右方向の幅よりも広く形成しているため、従来の複合機のように搬送領域ＲＢ側の角部で原稿の位置決めをすることができない。従って、搬送領域ＲＢ側とは反対側、具体的には、透明板１１の載置領域ＲＡ上における、枠部材１２の前側及び右側の交点を原点ＯＰとして、内縁に接する位置に原稿Ｐを載置することで位置決めをしている。そうして、ＣＩＳ１３が読取開始位置Ｃから読取終了位置Ｄまで移動しながら原稿Ｐを読み取ることになる。この場合、従来とは反対側から読み取るために本実施形態の複合機１専用のＣＩＳ１３を新たに作成することもできるが、新たに作成するとその分コストが嵩むという問題がある。
【００３５】
そこで、本実施形態のＣＩＳ１３は従来のＣＩＳ１３を流用して、反対側から読み取ることを可能にしている。従来の構成であれば、図４に示されるＣＩＳ１３は、左右方向で反対向きに配置され、ＦＦＣ１６は一端がＣＩＳ１３の左端でＣＩＳ１３の内部に収容されているセンサー基板に接続されている。一方、ＦＦＣ１６の他端側は、原稿読取装置１０の後方側左端部に形成された開口（図示略）から原稿読取装置１０内に引き込まれ、原稿読取装置１０内に位置する制御装置１７に接続されている。
【００３６】
しかし、本実施形態のＣＩＳ１３は図４に示されるように従来とは左右方向で反対向きに配置される。これは、ＣＩＳ１３の読み取り方向が決まっているためである。従って、ＦＦＣ１６は、その長さ方向の中途から一端側がＣＩＳ１３の前面側に対してＣＩＳ１３の左端部から右端部まで延びるように取り付けられた状態で、その一端がＣＩＳ１３の内部に収容されているセンサー基板に接続されている。そして、ＦＦＣ１６の他端側は、原稿読取装置１０の後方側左端部に形成された開口から原稿読取装置１０内に引き込まれ、原稿読取装置１０内に位置する制御装置１７に接続されている。
【００３７】
制御装置１７が複合機１の右側に配置される構成をとれれば、このようにＣＩＳ１３の前面側に対してＦＦＣ１６がＣＩＳ１３の左端部から右端部まで延びるように取り付けられる必要はなく、ＣＩＳ１３の右端部でＣＩＳ１３の内部に収容されているセンサー基板に接続されればよい。しかし、複合機１の右側には操作パネル、表示パネル、用紙カセット、印刷済みの印刷媒体の排出部などが配置されており、制御装置１７を配置することができない。従って、制御装置１７は複合機１の左側に配置することになり、ＦＦＣ１６はＣＩＳ１３の前面側に対してＣＩＳ１３の左端部から右端部まで延びるように取り付けられる構成となる。
【００３８】
図５を参照して、搬送装置２０の内部構成について説明する。
排紙トレイ２２は、給紙トレイ２１の下方に設けられる。このため、搬送路２３は、断面Ｕ字形状の反転経路２３Ａを含む。開口部２４は、反転経路２３Ａの終端部分に位置する。
【００３９】
次に、以上のように構成された画像読取装置３及び画像形成装置２の作用について、図５を参照しながら説明する。
さて、図５に示すように、ＣＩＳ１３は、画像読取装置３が読取動作を停止しているとき、原稿読取装置１０の内部において、反転経路２３Ａの下方に設定された待機位置Ａにおいて所定の待機動作を実行する。この待機位置Ａの上側には精度誤差などによるＣＩＳ１３の出力データの不均等を補正するためのデータを取得する白基準板（図示略）が配置されている。そのためＣＩＳ１３の読み取り動作の前に待機位置で迅速に補正データを取得することができる。
【００４０】
そして、搬送装置２０が閉位置に位置した状態において、給紙トレイ２１に原稿Ｐが載置された後、ユーザーによって原稿Ｐの読み取りを開始する操作が実行されると、ＣＩＳ１３は、図５において二点鎖線で示すように、搬送領域ＲＢと対応する第２読取領域ＲＤ内の読取位置Ｂに待機位置Ａから移動する。
【００４１】
搬送装置２０は、ＣＩＳ１３が読取位置Ｂに移動した後、給紙トレイ２１に載置されている原稿Ｐを排紙トレイ２２まで搬送路２３を通して一枚ずつ搬送する。ＣＩＳ１３は、搬送路２３を通る過程で開口部２４において露出される原稿Ｐを、被覆部材２５及び透明板１１越しに読み取る。搬送装置２０は、給紙トレイ２１に載置されている原稿Ｐを排紙トレイ２２に全て排出する。ＣＩＳ１３は、搬送装置２０による原稿Ｐの搬送が終了すると、読取位置Ｂから待機位置Ａに戻る。
【００４２】
一方、搬送装置２０を開位置に位置させた場合には、透明板１１上に原稿Ｐが載置される。原稿Ｐは、透明板１１の載置領域ＲＡ上において、枠部材１２の前側及び右側の内縁に接する位置に載置される。原稿Ｐは、透明板１１に載置された後、搬送装置２０が閉位置に移動することにより、マット２６によって押圧される。
【００４３】
ＣＩＳ１３は、搬送装置２０が閉位置に移動した後、ユーザーによって原稿Ｐの読み取りを開始する操作が実行されると、図５において二点鎖線で示すように、枠部材１２の前側の内縁と原稿Ｐとの接触位置に対応する第１読取領域ＲＣ内の読取開始位置Ｃに移動する。そして、ＣＩＳ１３は、その読取開始位置Ｃから、図５において二点鎖線で示すように、開口部２４に対応する読取位置Ｂから前方に所定の間隔を有する第１読取領域ＲＣ内の読取終了位置Ｄまで移動しながら原稿Ｐを読み取る。ＣＩＳ１３は、透明板１１上に載置されている原稿Ｐの読取を完了すると、図５において実線で示すように、読取終了位置Ｄから待機位置Ａに戻る。
【００４４】
以上のように、ＣＩＳ１３は、搬送装置２０により搬送される原稿Ｐから読取位置Ｂに停止した状態で画像を読み取った場合、及び、透明板１１上に載置された原稿Ｐから画像を読取開始位置Ｃから読取終了位置Ｄまで移動する過程で読み取った場合、いずれの場合も、ＦＦＣ１６を介して制御装置１７に画像のデータを伝送する。すると、その伝送されたデータに対応した画像の印刷が画像形成装置２において実行される。
【００４５】
以上説明した本実施形態の画像読取装置３及び画像形成装置２によれば、以下の効果を奏する。
（１）従来は無駄な空間となっていた原稿読取装置１０において反転経路２３Ａの下方となる領域をＣＩＳ１３の待機位置Ａとして使用するため、無駄な空間を縮小して画像読取装置３の小型化に貢献することができる。
【００４６】
（２）載置領域ＲＡ及び搬送領域ＲＢは、透明板１１上において連続するように設定されているため、これらの領域の間に生じる無駄な空間を縮小することによって、画像読取装置３の小型化に貢献することができる。
【００４７】
（３）載置領域ＲＡ及び搬送領域ＲＢは、１つの透明板１１上に形成されているため、これらの領域に対応する透明板を独立して原稿読取装置１０に取り付ける構造と比較して、その構造を簡素化することができる。
【００４８】
（４）原稿Ｐの載置位置を規定する部材として、枠部材１２の前及び右の各内縁を用いるため、載置領域ＲＡにおける原稿Ｐの載置位置を規定する部材と、原稿読取装置１０に透明板１１を固定する部材とを共通化することができ、部材点数の削減を通じて原稿読取装置１０の小型化に貢献することができる。
【００４９】
なお、上記実施形態は以下のような別の実施形態に変更してもよい。
・上記実施形態において、載置領域ＲＡ及び搬送領域ＲＢは、透明板１１上において連続していない構成であってもよい。
【００５０】
・上記実施形態において、載置領域ＲＡ及び搬送領域ＲＢは、それぞれ異なる透明板上に形成されてもよい。
・上記実施形態において、原稿Ｐの載置位置を規定する部材は、枠部材１２の前及び左の内縁など隣接する２つの内縁を構成する部材であれば、いずれの部材であってもよい。すなわち、透明板１１の載置領域ＲＡ上における、枠部材１２の前側及び左側の交点を原点としてもよい。
【００５１】
・上記実施形態において、画像読取装置３は、画像形成装置２と組み合わせて使用されることなく、単独で使用される構成であってもよい。
・上記実施形態において、搬送領域ＲＢは、その左右方向（ＣＩＳ１３の主走査方向）の幅が載置領域ＲＡの左右方向の幅と同じに形成されていてもよい。
【００５２】
上記実施形態において、記録装置としての画像形成装置は、インク以外の他の流体（液体や、機能材料の粒子が液体に分散又は混合されてなる液状体、ゲルのような流状体、流体として流して噴射できる固体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置、トナーなどの粉体（粉粒体）を例とする固体を噴射する粉粒体噴射装置（例えばトナージェット式記録装置）であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体、粉粒体（粒体、粉体を含む）などが含まれる。
【符号の説明】
【００５３】
２…画像形成装置（記録装置）、３…画像読取装置、１１…透明板、１２…枠部材（固定部材）、１３…読取部としてのコンタクトイメージセンサーモジュール（ＣＩＳ）、２０…搬送装置（原稿搬送装置）、２３Ａ…反転経路、Ａ…待機位置、Ｐ…原稿、ＲＡ…載置領域、ＲＢ…搬送領域（一部領域）、ＲＣ…第１読取領域、ＲＤ…第２読取領域。
【図１】
2014007591.tif 000003
【図２】
2014007591.tif 000004
【図３】
2014007591.tif 000005
【図４】
2014007591.tif 000006
【図５】
2014007591.tif 000007